(57)【要約】【課題】汚れが付着してしまうことを抑制でき、使用者が清掃する必要のないランドリーパイプを備えた浴室天井を提供する。【解決手段】浴室天板は、ランドリーパイプを上方又は下方へ移動させた際にランドリーパイプを洗浄する洗浄機構を有する。【選択図】図２
2016179060.tif 000002
【特許請求の範囲】
【請求項１】
浴室内の空気を除湿又は換気させる送風装置と、
浴室において上方に設けられた浴室天板と、
洗濯物を支持可能なランドリーパイプと、を備え、
前記浴室天板は、前記ランドリーパイプを上方又は下方へ移動させた際に前記ランドリーパイプを洗浄する洗浄機構を有することを特徴とする、ランドリーパイプを備えた浴室天井。
【請求項２】
前記洗浄機構は、刷毛構造を有するブラシ部であり、
前記ランドリーパイプは、上下方向に対して垂直に移動可能であり、
前記ブラシ部の少なくとも一部は、前記ランドリーパイプの鉛直線上に配置されていることを特徴とする、請求項１に記載のランドリーパイプを備えた浴室天井。  
【請求項３】
前記ランドリーパイプを上下方向に移動させる電気式の駆動部をさらに備え、
前記洗浄機構は、前記駆動部によって前記ランドリーパイプが上下方向に移動されることで、前記ランドリーパイプを洗浄することを特徴とする請求項１又は２に記載のランドリーパイプを備えた浴室天井。
【請求項４】
前記浴室天板より上方に設けられ、前記ランドリーパイプを収納できる収納空間を有する収納部をさらに備え、
前記ランドリーパイプを上方へ移動させることで、前記ランドリーパイプを前記収納部へ収納でき、
前記洗浄機構は、前記収納部に前記ランドリーパイプが収納される際に、前記ランドリーパイプを洗浄することを特徴とする請求項１乃至３の何れか１つに記載のランドリーパイプを備えた浴室天井。
【発明の詳細な説明】
【技術分野】
【０００１】
本発明の態様は、浴室に設置され、洗濯物を支持することができるランドリーパイプを備えた浴室天井に関する。
【背景技術】
【０００２】
近年、浴室天井に設置され、洗濯物を支持することができるランドリーパイプが知られている。また、近年、背の高い浴室利用者がランドリーパイプにぶつかることがないように、上方へ移動させることが可能なランドリーパイプも知られている。このようなランドリーパイプにおいては、上方に位置しているランドリーパイプを下方へ移動させることで、洗濯物を容易に支持することができるものである。
【０００３】
例えば、特許文献１には、浴室において、ランドリーパイプを上下方向に対して垂直に移動させる電気式の駆動部を備えた昇降装置について記載されている。
【先行技術文献】
【特許文献】
【０００４】
【特許文献１】特開２００８−２２０５５２号公報
【発明の概要】
【発明が解決しようとする課題】
【０００５】
特許文献１に記載されたランドリーパイプは、浴室に設置されている。浴室内は湿気が多いため、浴室に設置されたランドリーパイプには、黴や水垢などの汚れが付着してしまう恐れがある。これを防ぐために、使用者は定期的にランドリーパイプを清掃する必要があり、非常に手間が掛かるものであった。また、上方に位置しているランドリーパイプを清掃するためには、その都度下方へ移動させる必要があり、この点においても、非常に手間の掛かるものであった。
【０００６】
本発明は、かかる課題の認識に基づいてなされたものであり、汚れが付着してしまうことを抑制でき、使用者が清掃する必要のないランドリーパイプを備えた浴室天井を提供することを目的とする。
【課題を解決するための手段】
【０００７】
第１の発明は、浴室内の空気を除湿又は換気させる送風装置と、浴室において上方に設けられた浴室天板と、洗濯物を支持可能なランドリーパイプと、を備え、前記浴室天板は、前記ランドリーパイプを上方又は下方へ移動させた際に前記ランドリーパイプを洗浄する洗浄機構を有することを特徴とする、ランドリーパイプを備えた浴室天井である。
このランドリーパイプを備えた浴室天井によれば、浴室天板は、ランドリーパイプを上方又は下方へ移動させた際にランドリーパイプを洗浄する洗浄機構を有する。従って、ランドリーパイプを上方又は下方へ移動させる度に、ランドリーパイプが洗浄されるため、ランドリーパイプを利用する度に自然とランドリーパイプに黴や水垢などの汚れが付着してしまうことを抑制でき、且つ、使用者が定期的に清掃する必要がなくなる。
【０００８】
第２の発明は、第１の発明において、前記洗浄機構は、刷毛構造を有するブラシ部であり、前記ブラシ部の少なくとも一部は、前記ランドリーパイプの鉛直線上に配置されていることを特徴とする、ランドリーパイプを備えた浴室天井である。
このランドリーパイプを備えた浴室天井によれば、洗浄機構は、刷毛構造を有するブラシ部であり、ブラシ部の少なくとも一部は、ランドリーパイプの鉛直線上に配置されている。このことより、ランドリーパイプをブラシによって機械的に清掃できるため、洗浄するために別途電気などのエネルギーを使わず、簡単な構造で、ランドリーパイプに黴や水垢などの汚れが付着してしまうことを抑制できる。
【０００９】
第３の発明は、第１又は２の発明において、前記ランドリーパイプを上下方向に移動させる電気式の駆動部をさらに備え、前記洗浄機構は、前記駆動部によって前記ランドリーパイプが上下方向に移動されることで、前記ランドリーパイプを洗浄することを特徴とする、ランドリーパイプを備えた浴室天井である。
このランドリーパイプを備えた浴室天井によれば、ランドリーパイプを上下方向に移動させる電気式の駆動部をさらに備え、洗浄機構は、駆動部によってランドリーパイプが上下方向に移動されることで、ランドリーパイプを洗浄するため、電気の力によって簡単にランドリーパイプを移動させることができ、このことから、簡単にランドリーパイプを清掃できる。
【００１０】
第４の発明は、第１乃至３の何れか１つの発明において、前記浴室天板より上方に設けられ、前記ランドリーパイプを収納できる収納空間を有する収納部をさらに備え、前記ランドリーパイプを上方へ移動させることで、前記ランドリーパイプを前記収納部へ収納でき、前記洗浄機構は、前記収納部に前記ランドリーパイプが収納される際に、前記ランドリーパイプを洗浄することを特徴とする、ランドリーパイプを備えた浴室天井である。
このランドリーパイプを備えた浴室天井によれば、浴室天板より上方に設けられ、ランドリーパイプを収納できる収納空間を有する収納部をさらに備え、洗浄機構は、収納部にランドリーパイプが収納される際にランドリーパイプを洗浄するため、ランドリーパイプを収納部に収納することで、ランドリーパイプを利用しない場面、即ちランドリーパイプが収納部に収納された場合は、浴室空間を広く利用でき、且つ、その際には、洗浄機構によってランドリーパイプが洗浄されるため、ランドリーパイプの利用が終わり、収納される度に、自然とランドリーパイプが洗浄されることとなる。したがって、長期間ランドリーパイプが使用されなかった場合にも、ランドリーパイプが洗浄された状態で収納されることとなり、ランドリーパイプに菌や黴が繁殖しにくくなる。
【発明の効果】
【００１１】
本発明の態様によれば、汚れが付着してしまうことを抑制でき、使用者が清掃する必要のないランドリーパイプを備えた浴室天井が提供される。
【図面の簡単な説明】
【００１２】
【図１】本発明の一実施形態に係るランドリーパイプが設置された浴室を示す模式的斜視図である。
【図２】図１のランドリーパイプの洗浄機構を示す模式断面図である。
【発明を実施するための形態】
【００１３】
以下、本発明の実施の形態について図面を参照しつつ説明する。なお、各図面中、同様の構成要素には同一の符号を付して詳細な説明は適宜省略する。  
【００１４】
図１は、本発明の一実施形態に係るランドリーパイプが設置された浴室を示す模式的斜視図である。
図２は、図１の浴室における浴室天井を示す模式断面図である。
【００１５】
図１、２を用いて、本発明の一実施形態におけるランドリーパイプを備えた浴室天井について説明する。
【００１６】
図１に示すように、浴室１００は、浴室１００の上面を形成する浴室天井１０１と、例えば繊維強化プラスチック（ＦＲＰ）によって形成された浴槽１０２と、浴槽１０２の側面に設置された洗い場１０３と、浴室１００の各側面を形成する壁部１０４と、を備える。浴室天井１０１は、板状の部材で形成された浴室天板２と、浴室天板２に設置された送風装置１と、浴室天板２に設置された収納部５と、洗濯物を支持可能なランドリーパイプ３と、ランドリーパイプ３を駆動可能な駆動部４と、を有する。
【００１７】
送風装置１は、ドア１０５の下部にある通風口から脱衣所側の空気を吸気することで、浴室１００内の空気を除湿又は換気させる。収納部５は、中空部分を有する、例えば樹脂製の箱体である。ランドリーパイプ３は、例えば直線的な形状によって形成された中空の棒材である。このランドリーパイプ３の材質は、例えば金属製の中で比較的錆にくい材質であるステンレス鋼（ＳＵＳ）である。このランドリーパイプ３は、収納部５の内部の収納空間に配置可能である。
【００１８】
駆動部４は、外部から送電された入力電力により、内部のモーター（図示せず）を回転させ、ランドリーパイプ３を上下に駆動させることができる。この駆動部４によって、ランドリーパイプ３を収納部５に出し入れすることができる。
【００１９】
図１に示すように、壁部１０４には、操作パネル６が設置されている。この操作パネル６は、駆動部４に対して、ランドリーパイプ３の上下駆動を電気信号で指示するためのボタン（図示せず）が設置されている。使用者はこの操作パネル６のボタンを操作することにより、ランドリーパイプ３を収納部５に収納された状態から、収納部５外（収納部５から下方）へ移動させることができる。また、収納部５から下方へ移動したランドリーパイプ３の停止位置は、使用者による操作パネル６のボタンの操作によって決めることができる。このことより、ランドリーパイプ３の高さを自由に調整することができる。
【００２０】
図２に示すように、ランドリーパイプ３の長手方向の両端には、例えばＳＵＳ製であるワイヤー１０が接続され、駆動部４のモーター動作によってワイヤー１０を動作させることにより、ランドリーパイプ３を上下に可動させ、収納部５に出入りさせる。
【００２１】
収納部５は、例えば樹脂製のブラシ部８と、ブラシ部８が固定されるブラシ固定台７と、収納部５に収納したランドリーパイプ３を隠すためのダンパー蓋９と、を備えている。このブラシ部８は刷毛形状を有しており、刷毛部分の一部は、ランドリーパイプ３の鉛直線上に配置されている。このことより、ランドリーパイプ３が駆動部４のモーター動作によって収納部５に出入りされた際に、自動的にランドリーパイプ３とブラシ部８とが当接し、ランドリーパイプ３の表面がブラシ部８によって洗浄される。また、ブラシ部８は、ランドリーパイプ３と十分に接するように長辺方向に配されている。このことより、ブラシ部８は、ランドリーパイプ３の長手方向に亘って広く洗浄することができる。
【００２２】
ブラシ部固定台７は、収納部５の底面となる浴室天板２に固定されている。なお、ブラシ部８は、ランドリーパイプ３の出入りの動作に影響を与えない太さと長さを選定することが望ましい。ブラシ部８が浴室１００から見えないように、可動機構を備えたダンパー蓋９を収納部５の出入り口に設けることが望ましい。
【００２３】
以上のことより、本発明の一実施形態に係るランドリーパイプ３の洗浄機構によれば、上下動作により自動的に汚れを除去することができ、洗濯物を快適に干すことが提供できる。
【００２４】
以上、本発明の一実施形態について説明した。しかし、本発明はこれらの記述に限定されるものではない。
【００２５】
本発明の一実施形態において、ランドリーパイプ３は、直線的な形状によって形成されたものであったが、それに限らず、例えばクランク状に形成されるものであっても良い。その際は、収納部５の開口の形状も、ランドリーパイプ３の形状に合わせて形成されても良い。
【００２６】
本発明の一実施形態において、ランドリーパイプ３の停止位置は、使用者による操作パネル６のボタンの操作によって自由に調整できるものであったが、それに限らず、ランドリーパイプ３の高さを、例えば「高」、「中」、「低」のように、段階的に調整できるものであっても良い。
【００２７】
本発明の一実施形態において、ブラシ部８は、収納部５と別体のものであったが、それに限らず、収納部５と一体に形成されるものであっても良い。
【００２８】
本発明の一実施形態において、ダンパー蓋９は、収納部５と別体のものであったが、それに限らず、収納部５と一体に形成されるものであっても良い。
【００２９】
前述の実施の形態に関して、当業者が適宜設計変更を加えたものも、本発明の特徴を備えている限り、本発明の範囲に包含される。例えば、浴室１００や浴室天井１０１などが備える各要素の形状、寸法、材質、配置などや、浴室１００や浴室天井１０１の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３０】
１００浴室
１０１浴室天井
１０２浴槽
１０３洗い場
１０４壁部
１０５ドア
１ 送風装置
２ 浴室天板
３ ランドリーパイプ
４ 駆動部
５ 収納部
６ 操作パネル
７ ブラシ固定台
８ ブラシ部
９ ダンパー蓋
１０ワイヤー
【図１】
2016179060.tif 000003
【図２】
2016179060.tif 000004